(57)【要約】      （修正有）【課題】媒体の状態に関わらず積載性を向上することができる媒体搬送装置の提供を目的とする。【解決手段】媒体搬送装置２は、媒体Ｄを＋Ｙ方向（第１の方向）に排出する排出ローラ２６（排出部）と、排出ローラ２６から排出された媒体Ｄを積載面１６ａに積載するスタッカ１６と、＋Ｙ方向における排出ローラ２６の下流側に配置され、スタッカ１６の積載面１６ａに向かって媒体Ｄを押圧する押さえ部材３とを有する。押さえ部材３は、媒体Ｄと当接する当接部（第１の当接部）と、Ｘ方向において当該当接部から離間して配置され、媒体Ｄと当接する当接部（第２の当接部）と、Ｘ方向において当接部の間に配置され、当接部の少なくとも一方が積載面１６ａと当接しているときに積載面１６ａから離間した位置にある頂部３３とを有する。【選択図】図２
2018162131.tif 000002
【特許請求の範囲】
【請求項１】
媒体を第１の方向に排出する排出部と、
前記排出部から排出された媒体を積載面に積載するスタッカと、
前記第１の方向における前記排出部の下流側に配置され、前記スタッカの前記積載面に向かって媒体を押圧する押さえ部材と
を有し、
前記押さえ部材は、
媒体と当接する第１の当接部と、
前記第１の方向と直交する第２の方向において前記第１の当接部から離間して配置され、媒体と当接する第２の当接部と、
前記第２の方向において前記第１の当接部と前記第２の当接部との間に配置され、前記第１の当接部および前記第２の当接部の少なくとも一方が前記積載面と当接しているときに前記積載面から離間した位置にある頂部と
を有することを特徴とする媒体搬送装置。
【請求項２】
搬送対象の媒体を載置する載置面と、
前記載置面に対向配置され、前記載置面から媒体を送り出す給送ローラと
をさらに有し、
前記給送ローラと前記載置面との距離は、前記載置面への媒体のセット時には、距離Ｈ２であり、
前記第１の当接部および前記第２の当接部の少なくとも一方が前記積載面に当接しているときに前記頂部の所定部分が前記積載面から離間する距離Ｈ１は、前記距離Ｈ２よりも大きいことを特徴とする請求項１に記載の媒体搬送装置。
【請求項３】
前記頂部の前記所定部分は、前記第２の方向において前記第１の当接部と前記第２の当接部との中間に位置する部分であることを特徴とする請求項２に記載の媒体搬送装置。
【請求項４】
前記押さえ部材は、
前記第１の当接部から前記頂部に向かって延在する第１の傾斜部を有することを特徴とする請求項１から３までの何れか１項に記載の媒体搬送装置。
【請求項５】
前記第１の傾斜部は、前記第２の方向において前記第１の当接部から離れるに従って前記積載面から離れるように傾斜することを特徴とする請求項４に記載の媒体搬送装置。
【請求項６】
前記第１の傾斜部は、前記第１の方向において前記第１の当接部の下流に進むに従って前記積載面から離間するように傾斜することを特徴とする請求項４または５に記載の媒体搬送装置。
【請求項７】
前記押さえ部材は、
前記第２の当接部から前記頂部に向かって延在する第２の傾斜部を有することを特徴とする請求項１から６までの何れか１項に記載の媒体搬送装置。
【請求項８】
前記第２の傾斜部は、前記第２の方向において前記第２の当接部から離れるに従って前記積載面から離れるように傾斜することを特徴とする請求項７に記載の媒体搬送装置。
【請求項９】
前記第２の傾斜部は、前記第１の方向において前記第２の当接部の下流に進むに従って前記積載面から離間するように傾斜することを特徴とする請求項７または８に記載の媒体搬送装置。
【請求項１０】
前記押さえ部材は、前記第１の当接部から前記頂部に向かって延在する第１の傾斜部と、前記第２の当接部から前記頂部に向かって延在する第２の傾斜部とを有し、
前記頂部は、前記第１の傾斜部から延在する第１の湾曲部と、前記第２の傾斜部から延在する第２の湾曲部とを有することを特徴とする請求項１に記載の媒体搬送装置。
【請求項１１】
前記押さえ部材は、ワイヤによって形成されていることを特徴とする請求項１から１０までの何れか１項に記載の媒体搬送装置。
【請求項１２】
前記押さえ部材を揺動可能に支持する揺動支持部をさらに備え、
前記押さえ部材は、
前記揺動支持部から前記スタッカに向かって延在する第１の延在部と、
前記揺動支持部から前記スタッカに向かって延在し、前記第１の延在部に前記第２の方向に対向する第２の延在部と
を有することを特徴とする請求項１から１１までの何れか１項に記載の媒体搬送装置。
【請求項１３】
前記押さえ部材は、前記スタッカの前記積載面に載置される媒体の前記第２の方向における中央部に配置されていることを特徴とする請求項１から１２までの何れか１項に記載の媒体搬送装置。
【請求項１４】
前記スタッカの前記積載面に対向する対向面を有し、
前記スタッカに媒体が最大積載量まで積載されたときに、一番上の媒体から前記対向面までの距離をＨ３とすると、
前記第１の当接部および前記第２の当接部の少なくとも一方が前記積載面に当接しているときに前記頂部が前記積載面から離間する最大距離は、距離Ｈ３よりも小さい
ことを特徴とする請求項１から１３までの何れか１項に記載の媒体搬送装置。
【請求項１５】
請求項１から１４までの何れか１項に記載の媒体搬送装置と、
前記媒体搬送装置によって搬送された媒体を、読取位置で読み取る読取部と
を備えたこと
を特徴とする画像読取装置。
【請求項１６】
請求項１５に記載の画像読取装置と、
媒体に画像を形成する画像形成装置と
を備えたことを特徴とする複合装置。
【発明の詳細な説明】
【技術分野】
【０００１】
本発明は、媒体搬送装置、並びに、媒体搬送装置を有する画像読取装置および複合装置に関する。
【背景技術】
【０００２】
画像読取装置で用いられる媒体搬送装置は、媒体（読取原稿）を搬送しながら読取センサで読み取り、原稿を排出してスタッカ上で積載するように構成されている（例えば、特許文献１）。
【先行技術文献】
【特許文献】
【０００３】
【特許文献１】特開２０１１−６６７０７号公報（段落００３０、図１参照）
【発明の概要】
【発明が解決しようとする課題】
【０００４】
しかしながら、媒体には折り目が付いている場合があり、媒体の状態に関わらず積載性を向上することが求められている。
【０００５】
本発明は、上記の課題を解決するためになされたものであり、媒体の状態に関わらず積載性を向上することができる媒体搬送装置、画像読取装置および複合装置を提供することを目的とする。
【課題を解決するための手段】
【０００６】
本発明の媒体搬送装置は、媒体を第１の方向に排出する排出部と、排出部から排出された媒体を積載面に積載するスタッカと、第１の方向における排出部の下流側に配置され、スタッカの積載面に向かって媒体を押圧する押さえ部材とを有する。押さえ部材は、媒体と当接する第１の当接部と、第１の方向と直交する第２の方向において第１の当接部から離間して配置され、媒体と当接する第２の当接部と、第２の方向において第１の当接部と第２の当接部との間に配置され、第１の当接部および第２の当接部の少なくとも一方が積載面と当接しているときに積載面から離間した位置にある頂部とを有する。
【０００７】
本発明による画像読取装置は、上記の媒体搬送装置と、媒体搬送装置によって搬送された媒体を読取位置で読み取る読取手段とを備える。
【０００８】
本発明の複合装置は、上記の画像読取装置と、媒体に画像を形成する画像形成装置とを備える。
【発明の効果】
【０００９】
本発明によれば、原稿押さえ部材が、第１の当接面、第２の当接面および頂部を有するため、例えば折り目がついた媒体などであっても、スタッカ上での積載性を向上することができる。
【図面の簡単な説明】
【００１０】
【図１】第１の実施の形態における媒体搬送装置を備えた画像読取装置を示す斜視図である。
【図２】第１の実施の形態における画像読取装置を示す断面図である。
【図３】第１の実施の形態における押さえ部材を示す斜視図である。
【図４】第１の実施の形態における押さえ部材を示す正面図である。
【図５】第１の実施の形態における媒体搬送装置の一部を示す正面図である。
【図６】第１の実施の形態における給送ローラおよび媒体トレイを示す図である。
【図７】第１の実施の形態における媒体搬送装置の片面読取時の媒体搬送動作を示す図である。
【図８】第１の実施の形態における媒体搬送装置の両面読取時の媒体搬送動作を示す図である。
【図９】第１の実施の形態における媒体搬送装置の両面読取時の媒体搬送動作を示す図である。
【図１０】第１の実施の形態における媒体搬送装置の両面読取時の媒体搬送動作を示す図である。
【図１１】第１の実施の形態における媒体搬送装置のスタッカ上の媒体の積載状態を示す図である。
【図１２】第１の実施の形態における押さえ部材の作用を示す斜視図（Ａ）および正面図（Ｂ）である。
【図１３】比較例の押さえ部材の作用を示す斜視図（Ａ）および正面図（Ｂ）である。
【図１４】変形例の押さえ部材を示す斜視図である。
【図１５】第１の実施の形態の画像読取装置が適用可能な複合装置を示す模式図である。
【発明を実施するための形態】
【００１１】
第１の実施の形態．
本発明の第１の実施の形態について説明する。図１は、第１の実施の形態の媒体搬送装置２を備えた画像読取装置１の外観を示す斜視図である。画像読取装置１は、スキャナとして単独で用いてもよく、また、例えば、後述するＭＦＰ（Ｍｕｌｔｉ−Ｆｕｎｃｔｉｏｎ  Ｐｅｒｉｐｈｅｒａｌ）１００の一部として用いてもよい。
【００１２】
＜画像読取装置１の構成＞
まず、画像読取装置１の構成について説明する。図２は、画像読取装置１の構成を示す断面図である。画像読取装置１は、基台としてのフラットベッド１４と、フラットベッド１４の上部を覆う透明板１２と、フラットベッド１４内に配置された読取部１１と、フラットベッド１４の上側に配置された媒体搬送装置２とを有する。
【００１３】
読取部１１は、複数の読取素子を主走査方向に配列した読取センサ（ラインセンサ）を有する。読取部１１は、透明板１２上を副走査方向（主走査方向に直交する方向）に搬送される媒体Ｄの画像を、所定の読取位置Ｒで読み取る。透明板１２は、ガラス板等で構成され、読取部１１が読取に用いる光を透過する。
【００１４】
なお、画像読取装置１は、媒体搬送装置２を上方に揺動させ、透明板１２の上面を開放させることもできる。その場合には、媒体搬送装置２を動作させずに、読取部１１を副走査方向（図中左右方向）に移動させながら、ユーザが透明板１２上に置いた媒体Ｄを読み取ることができる。この動作モードについては、説明を省略する。また、フラットベッド１４の側面には、ユーザが画像読取装置１１を操作するための操作パネル１９（図１）が配設されている。
【００１５】
図２において、主走査方向（読取部１１の読取素子の配列方向）をＸ方向（第２の方向）とし、副走査方向をＹ方向とする。特に、読取部１１上を媒体Ｄが通過する方向を、＋Ｙ方向（第１の方向）とする。透明板１２の板面は、ＸＹ面に平行である。Ｘ方向およびＹ方向の両方に直交する方向をＺ方向とする。ここでは、ＸＹ面は水平面であり、Ｚ方向は鉛直方向であるが、これに限定されるものではない。
【００１６】
＜媒体搬送装置２の構成＞
次に、媒体搬送装置２の構成について説明する。媒体搬送装置２は、読取原稿である媒体Ｄを積載状態で保持する媒体トレイ１０と、媒体トレイ１０に積載された媒体Ｄを送り出す給送ローラ２１（給送部）と、給送ローラ２１によって送り出された媒体Ｄを搬送路Ｐ１に搬送する搬送ローラ２２とを有する。
【００１７】
媒体トレイ１０は、載置面１０ａ上に搬送対象の媒体Ｄが積載される部分である。媒体Ｄは、例えば紙媒体であるが、紙媒体に限定されるものではない。給送ローラ２１は、媒体トレイ１０の載置面１０ａ上に積載された一番上の媒体Ｄに当接するように配置されている。給送ローラ２１は、媒体トレイ１０の載置面１０ａに積載された媒体Ｄを一枚ずつ順に送り出す。
【００１８】
搬送ローラ２２は、媒体トレイ１０の送り出し側（図中左側）に配置され、互いに当接する一対のローラで構成されている。搬送ローラ２２は、給送ローラ２１から送り出された媒体Ｄを搬送路Ｐ１に搬送する。
【００１９】
媒体搬送装置２は、また、搬送路Ｐ１に沿って配置された第１反転ローラ２３、レジストローラ２４および排出搬送ローラ２５と、搬送路Ｐ１の終端に配置された排出ローラ２６（排出部）とを有する。排出ローラ２６の排出側（＋Ｙ方向）には、排出された媒体Ｄを積載するスタッカ１６（積載部）が設けられている。
【００２０】
第１反転ローラ２３、レジストローラ２４および排出搬送ローラ２５は、いずれも、互いに当接する一対のローラで構成されている。第１反転ローラ２３は、レジストローラ２４に向けて媒体Ｄを搬送する順方向と、その反対の逆方向に回転可能であり、回転方向が切り換えられる。第１反転ローラ２３は、両面読み取りモードにおいて、搬送路Ｐ３（後述）に沿って搬送されてきた媒体Ｄを開口部１５ａから一旦排出したのち、回転方向を反転し、レジストローラ２４に向かう搬送路Ｐ１に送り込むものである。
【００２１】
レジストローラ２４は、媒体Ｄがニップ部に当接してから所定のタイミングで回転を開始することでスキューを矯正して搬送し、後述する読取位置Ｒを通過させる。排出搬送ローラ２５は、読取位置Ｒを通過した媒体Ｄを排出ローラ２６に向けて搬送する。
【００２２】
排出ローラ２６は、従動ローラであるバックアップローラ２７に当接するように配置されている。排出ローラ２６は、排出搬送ローラ２５から搬送されてきた媒体Ｄを、排出ローラ２６とバックアップローラ２７との間（ニップ部）から＋Ｙ方向に排出する。
【００２３】
また、バックアップローラ２７の排出ローラ２６と反対側に当接するように、第２反転ローラ２８が配置されている。第２反転ローラ２８は、媒体Ｄを＋Ｙ方向（排出方向）に搬送する順方向と、その反対の逆方向に回転可能であり、回転方向が切り換えられる。第２反転ローラ２８は、両面読み取りモードにおいて、排出搬送ローラ２５から搬送されてきた媒体Ｄを一旦＋Ｙ方向に搬送したのち、回転方向を反転し、第１反転ローラ２３に向かう搬送路Ｐ２に送り込むものである。
【００２４】
なお、給送ローラ２１、搬送ローラ２２、第１反転ローラ２３、レジストローラ２４、排出搬送ローラ２５、排出ローラ２６、バックアップローラ２７および第２反転ローラ２８のそれぞれの軸方向は、Ｘ方向（媒体Ｄの幅方向）である。
【００２５】
搬送ローラ２２と第１反転ローラ２３との間には、媒体Ｄの搬送路を切り換える第１セパレータ４１（第１切換部）が配置されている。第１セパレータ４１は、搬送ローラ２２から送られてきた媒体Ｄを搬送路Ｐ１に案内する上方位置（図２に示す位置）と、もう一つの搬送路Ｐ３に案内する下方位置（図８に破線で示す位置）との間で揺動する。搬送路Ｐ３は、媒体Ｄを、搬送路Ｐ１とは反対方向から第１反転ローラ２３に導く経路であり、第１反転ローラ２３の近傍で搬送路Ｐ１と合流する。
【００２６】
排出搬送ローラ２５と排出ローラ２６との間には、媒体Ｄの搬送路を切り換える第２セパレータ４２（第２切換部）が配置されている。第２セパレータ４２は、排出搬送ローラ２５から送られてきた媒体Ｄを排出ローラ２６とバックアップローラ２７とのニップ部に案内する上方位置（図２に示す位置）と、第２反転ローラ２８とバックアップローラ２７とのニップ部に案内する下方位置（図９に破線で示す位置）との間で揺動する。
【００２７】
媒体搬送装置２は、また、透明板１２を挟んで読取部１１に対向配置された媒体ガイド部１３を有する。媒体ガイド部１３は、透明板１２から媒体Ｄが浮き上がらないように、媒体Ｄを透明板１２に押し当てる。
【００２８】
媒体搬送装置２は、また、媒体トレイ１０に積載された媒体Ｄの有無を検知する媒体センサ５１を有し、搬送路Ｐ１に沿って、媒体Ｄの通過を検知する媒体センサ５２，５３，５４を有する。媒体センサ５２は、搬送路Ｐ１に沿って搬送ローラ２２の下流側に配置されている。媒体センサ５３および媒体センサ５４は、搬送路Ｐ１に沿ってレジストローラ２４の上流側および下流側にそれぞれ配置されている。また、搬送路Ｐ３には、媒体センサ５５が配置されている。
【００２９】
排出ローラ２６の媒体Ｄの排出側（＋Ｙ方向）に、排出された媒体Ｄを積載するスタッカ１６（積載部）が配置されている。スタッカ１６は、媒体Ｄを積載する積載面１６ａを有する。積載面１６ａは、ここではＸＹ面に平行な面（水平面）であるが、これに限定されるものではない。スタッカ１６は、媒体トレイ１０の下側（−Ｚ方向）に対向するように配置されている。
【００３０】
スタッカ１６は、Ｙ方向において排出ローラ２６に近い側の第１の領域１６１よりも、排出ローラ２６から離れた側の第２の領域１６２の高さが高く、２つの領域１６１，１６２の間に傾斜部１６３を有する。但し、スタッカ１６の形状は、このような形状に限定されるものではなく、全体が平坦であってもよい。
【００３１】
スタッカ１６の上方には、スタッカ１６に積載される媒体Ｄを押さえる押さえ部材３が配設されている。押さえ部材３は、媒体トレイ１０の下側に設けられた揺動支持部１０１によって、揺動可能に保持されている。
【００３２】
図３は、押さえ部材３の形状を示す斜視図である。押さえ部材３は、例えば金属製のワイヤを折り曲げて構成されている。押さえ部材３は、揺動支持部１０１（図２）からスタッカ１６の積載面１６ａ（図２）まで直線状に延在する一対の延在部３０ａ，３０ｂを有する。延在部３０ａ，３０ｂは、いずれもＹＺ面に平行な面内で延在し、Ｘ方向に互いに対向している。
【００３３】
延在部３０ａの積載面１６ａ側の端部には、媒体Ｄに当接する当接部（第１の当接部）３１ａが形成されている。同様に、延在部３０ｂの積載面１６ａ側の端部には、媒体Ｄに当接する当接部（第２の当接部）３１ｂが形成されている。当接部３１ａ，３１ｂは、Ｘ方向に互いに対向している。当接部３１ａ，３１ｂをまとめて、当接部３１とも称する。
【００３４】
当接部３１ａ，３１ｂは、スタッカ１６の積載面１６ａに積載された媒体Ｄに当接する。また、スタッカ１６の積載面１６ａに媒体Ｄが積載されていないときには、当接部３１ａ，３１ｂは、スタッカ１６の積載面１６ａに当接する。
【００３５】
延在部３０ａの揺動支持部１０１側の端部には、揺動支持部１０１（図２）に支持される支軸部（第１の支軸部）３５ａが形成されている。同様に、延在部３０ｂの揺動支持部１０１側の端部には、揺動支持部１０１（図２）に支持される支軸部（第２の支軸部）３５ｂが形成されている。支軸部３５ａ，３５ｂは、いずれも軸方向がＸ方向に平行であり、Ｘ方向に互いに対向しており、互いに同軸である。支軸部３５ａ，３５ｂをまとめて、支軸部３５とも称する。
【００３６】
当接部３１ａ，３１ｂからＸ方向内側に、傾斜部３２ａ（第１の傾斜部）および傾斜部３２ｂ（第２の傾斜部）がそれぞれ直線状に延在している。傾斜部３２ａ，３２ｂは、Ｙ方向に対して角度αだけ傾斜している。より具体的には、傾斜部３２ａ，３２ｂは、＋Ｙ方向に進むにつれて、スタッカ１６の積載面１６ａから離間するように傾斜している。傾斜部３２ａ，３２ｂをまとめて、傾斜部３２とも称する。
【００３７】
図４は、押さえ部材３の先端部（すなわち、当接部３１ａ，３１ｂおよび傾斜部３２ａ，３２ｂを含む端部）を示す正面図である。傾斜部３２ａ，３２ｂは、Ｘ方向中心に対して互いに対称に延在し、Ｘ方向に対して角度βだけ傾斜している。より具体的には、傾斜部３２ａ，３２ｂは、Ｘ方向内側に進むにつれて（当接部３１ａ，３１ｂから離間するにつれて）スタッカ１６の積載面１６ａから離間するように傾斜している。
【００３８】
Ｘ方向において傾斜部３２ａ，３２ｂの間には、頂部３３が形成されている。頂部３３は、当接部３１ａ，３１ｂがスタッカ１６の積載面１６ａに当接している状態で、積載面１６ａから＋Ｚ方向（積載面１６ａに垂直な方向）に離間している。
【００３９】
なお、ここでは、当接部３１ａ，３１ｂがスタッカ１６の積載面１６ａに当接している状態で、頂部３３が積載面１６ａから＋Ｚ方向に離間していると説明したが、製造誤差等により、当接部３１ａ，３１ｂの一方のみがスタッカ１６の積載面１６ａに当接する場合もあり得る。そのため、当接部３１ａ，３１ｂの少なくとも一方がスタッカ１６の積載面１６ａに当接している状態で、頂部３３が積載面１６ａから＋Ｚ方向に離間していればよい。
【００４０】
頂部３３は、傾斜部３２ａからＸ方向中心に向けて延在する湾曲部３４ａ（第１の湾曲部）と、傾斜部３２ｂからＸ方向中心に向けて延在する湾曲部３４ｂ（第２の湾曲部）とを有する。これにより、頂部３３は、傾斜部３２ａ，３２ｂの間で滑らかな湾曲形状を描くように形成される。湾曲部３４ａ，３４ｂをまとめて、湾曲部３４とも称する。
【００４１】
押さえ部材３の当接部３１ａ，３１ｂ、傾斜部３２ａ，３２ｂおよび頂部３３（湾曲部３４ａ，３４ｂを含む）により、媒体Ｄの折り目Ｄ１（図１２（Ａ））を通過させる部分、すなわち逃げ形状が形成される。これにより、後述するように、媒体Ｄの折り目Ｄ１が押さえ部材３に引っ掛からないようにすることができる。
【００４２】
図５は、押さえ部材３を含む媒体搬送装置２の正面図（＋Ｙ側から見た図）である。図５に示すように、排出ローラ２６は、スタッカ１６のＸ方向中心に対して両側に２箇所ずつ配置されたローラ部（ゴムローラ部）２６ａ，２６ｂ，２６ｃ，２６ｄを有する。ローラ部２６ａ，２６ｂ，２６ｃ，２６ｄは、Ｘ方向に一列に配列されている。また、バックアップローラ２７は、ローラ部２６ａ，２６ｂ，２６ｃ，２６ｄにそれぞれ当接するローラ部（ゴムローラ部）２７ａ，２７ｂ，２７ｃ，２７ｄを有する。
【００４３】
押さえ部材３は、Ｘ方向において、排出ローラ２６の中央のローラ部２６ｂ，２６ｃの間に配置されている。すなわち、押さえ部材３は、スタッカ１６に積載される媒体Ｄの幅方向（Ｘ方向）の中央部に配置されている。押さえ部材３の頂部３３は、スタッカ１６に積載される媒体ＤのＸ方向中心に位置する。
【００４４】
図６は、媒体トレイ１０と給送ローラ２１とを示す模式図である。給送ローラ２１は、揺動フレーム２９によって支持されている。揺動フレーム２９はＸ方向の揺動軸を中心として揺動可能に支持されている。
【００４５】
給送ローラ２１は、媒体トレイ１０に接近する下方位置（第１の位置）と、媒体トレイ１０から離間する上方位置（第２の位置）との間で揺動する。ユーザが媒体トレイ１０に媒体Ｄをセットする際には、図６に示すように、給送ローラ２１は上方位置にある。また、媒体Ｄを送り出す際には、給送ローラ２１は下方位置にある。
【００４６】
図６に示したように給送ローラ２１が上方位置にある状態で、媒体トレイ１０の載置面１０ａから給送ローラ２１までの距離を、距離Ｈ２とする。媒体Ｄは、媒体トレイ１０の載置面１０ａと給送ローラ２１との間にセットされるため、仮に媒体Ｄに折り目があったとしても、媒体Ｄの折り目の高さが距離Ｈ２以上になることはない。
【００４７】
図２に戻り、媒体搬送装置２を上方から覆うように、カバー１５が設けられている。カバー１５の上面には、両面読取動作において媒体Ｄを一時的に排出するための開口部１５ａが形成されている。なお、媒体トレイ１０およびスタッカ１６は、カバー１５から＋Ｙ方向に突出するように設けられている。
【００４８】
＜画像読取装置１の動作＞
次に、媒体搬送装置２を含む画像読取装置１の動作について説明する。まず、媒体（読取原稿）Ｄの片面の画像を読み取る片面読取動作について、図７を参照して説明する。
【００４９】
片面読取動作が開示されると、まず、給送ローラ２１が回転して媒体トレイ１０に載置された媒体Ｄに接触し、１枚の媒体Ｄを媒体トレイ１０から送り出す。給送ローラ２１から送り出された媒体Ｄは、搬送ローラ２２により、搬送路Ｐ１に沿って搬送される。このとき、第１セパレータ４１は、媒体Ｄを搬送路Ｐ１に沿って第１反転ローラ２３に案内する位置（下方位置）にある。媒体Ｄは、第１セパレータ４１の上側を通過して、搬送路Ｐ１に沿って第１反転ローラ２３に向かう。
【００５０】
第１反転ローラ２３は、順方向（すなわち、媒体Ｄをレジストローラ２４に向けて搬送する方向）に回転し、搬送路Ｐ１に沿って媒体Ｄをレジストローラ２４に搬送する。レジストローラ２４は、媒体Ｄがレジストローラ２４のニップ部に突き当たってから所定のタイミングで回転を開始し、これにより媒体Ｄのスキューを矯正する。レジストローラ２４の回転開始のタイミングは、媒体センサ５３が媒体Ｄの先端を検知した時点からのタイマーカウントによって決定される。
【００５１】
レジストローラ２４は、スキューを矯正した媒体Ｄを搬送し、読取部１１による読取位置ＲをＹ方向に通過させる。読取位置Ｒでは、媒体ガイド部１３が媒体Ｄを透明板１２に押し当て、媒体Ｄの浮き上がりを抑制する。媒体Ｄが読取位置ＲをＹ方向（副走査方向）に通過する際に、読取部１１のＸ方向に配列された読取素子が、媒体Ｄの第２面の画像を１ラインずつ読み取る。読取部１１の読取動作の開始タイミングは、媒体センサ５４が媒体Ｄの先端を検知した時点からのタイマーカウントによって決定される。
【００５２】
読取位置Ｒを通過した媒体Ｄは、排出搬送ローラ２５によって搬送され、第２セパレータ４２の下側を通って、排出ローラ２６とバックアップローラ２７とのニップ部に達する。排出ローラ２６は、媒体Ｄを、排出ローラ２６とバックアップローラ２７との間から＋Ｙ方向に排出する。
【００５３】
排出された媒体Ｄは、押さえ部材３に当接し、押さえ部材３の自重によって積載面１６ａに押し当てられる。これにより、スタッカ１６に既に積載されていた媒体Ｄが、後から排出された媒体Ｄに押されて生じる媒体Ｄの積載状態の乱れが抑制される。これにより、片面読取動作が完了する。
【００５４】
次に、媒体Ｄの両面の画像を読み取る両面読取動作について、図８〜１０を参照して説明する。ここでは、まず、媒体Ｄの第２面（媒体トレイ１０上で下方を向いている面）の画像を読み取り、次に、媒体Ｄの第１面（媒体トレイ１０上で上方を向いている面）の画像を読み取る。
【００５５】
まず、給送ローラ２１が回転して媒体トレイ１０に載置された媒体Ｄに接触し、１枚の媒体Ｄを媒体トレイ１０から送り出す。給送ローラ２１によって送り出された媒体Ｄは、搬送ローラ２２によって搬送される。
【００５６】
第１面の読取時には、第１セパレータ４１は図８に破線で示す上方位置に揺動し、媒体Ｄを搬送路Ｐ３に案内する。媒体Ｄは、第１セパレータ４１の下側を通過して、搬送路Ｐ３に沿って第１反転ローラ２３に向かう。
【００５７】
第１反転ローラ２３は、媒体Ｄをレジストローラ２４に搬送する際の回転方向（順方向）とは反対の方向（逆方向）に回転し、媒体Ｄをカバー１５の開口部１５ａから排出する。
【００５８】
そして、媒体Ｄの後端が第１反転ローラ２３の近傍に到達すると、図９に示すように、第１反転ローラ２３が反転して順方向に回転し、媒体Ｄをレジストローラ２４に向かって搬送する。第１反転ローラ２３の反転のタイミングは、搬送路Ｐ３に配置された媒体センサ５５が媒体Ｄの後端を検知した時点からのタイマーカウントによって決定される。
【００５９】
レジストローラ２４は、所定のタイミングで回転を開始して媒体Ｄのスキューを矯正し、媒体Ｄを搬送する。媒体Ｄが読取位置ＲをＹ方向に通過する際に、読取部１１が媒体Ｄの画像を１ラインずつ読み取る。
【００６０】
読取位置Ｒを通過した媒体Ｄは、排出搬送ローラ２５によって、排出ローラ２６に向けて搬送される。第２セパレータ４２は、図９に破線で示す下方位置にあり、媒体Ｄを第２反転ローラ２８とバックアップローラ２７とのニップ部に案内する。
【００６１】
第２反転ローラ２８は、順方向に回転し、反転ローラ２８とバックアップローラ２７とのニップ部から、媒体Ｄを＋Ｙ方向に排出する。その後、図９に示すように、媒体Ｄの後端が第２セパレータ４２を通過すると、第２反転ローラ２８が反転して逆方向に回転し、媒体Ｄを搬送路Ｐ２に沿って第１反転ローラ２３に向けて搬送する。第２反転ローラ２８の反転のタイミングは、媒体センサ５４が媒体Ｄの後端を検知した時点からのタイマーカウントによって決定される。
【００６２】
この時点で、第１セパレータ４１は、上方位置（図８に破線で示す位置）から下方位置に戻っている。第２反転ローラ２８によって搬送される媒体Ｄは、下方位置にある第１セパレータ４１の上側を通過し、搬送路Ｐ１に沿って第１反転ローラ２３に達する。
【００６３】
第１反転ローラ２３は、順方向に回転し、搬送路Ｐ１に沿って媒体Ｄをレジストローラ２４に搬送する。レジストローラ２４は、上述した所定のタイミングで回転を開始して媒体Ｄのスキューを矯正し、媒体Ｄを搬送する。媒体Ｄが読取位置ＲをＹ方向に通過する際に、読取部１１が媒体Ｄの第１面の画像を１ラインずつ読み取る。
【００６４】
この時点で、第２セパレータ４２は、下方位置（図９に破線で示す位置）から上方位置に戻っている。読取位置Ｒを通過した媒体Ｄは、排出搬送ローラ２５によって搬送され、第２セパレータ４２の下側を通って、排出ローラ２６とバックアップローラ２７とのニップ部に達する。排出ローラ２６は、媒体Ｄを排出ローラ２６とバックアップローラ２７とのニップ部から＋Ｙ方向に排出する。
【００６５】
排出された媒体Ｄは、押さえ部材３に当接し、押さえ部材３の自重によって積載面１６ａに押し当てられる。これにより、スタッカ１６に既に積載されていた媒体Ｄが、後から排出された媒体Ｄに押されて生じる媒体Ｄの積載状態の乱れが抑制される。これにより、両面読取動作が完了する。
【００６６】
なお、画像読取装置１の読取部１１が読み取った画像データは、画像読取装置１に接続されたパーソナルコンピュータ等に出力するか、または、ＭＦＰ１００（図１５）の画像形成装置８に出力して画像形成装置８で印刷する。
【００６７】
また、媒体搬送装置２における媒体Ｄの搬送に関し、媒体センサ５１は、読取開始時に媒体トレイ１０上の媒体Ｄの有無を検知するために用いられる。また、媒体センサ５２は、先に給送した媒体Ｄと、後から給送する媒体Ｄとの間隔調整のために用いられる。媒体センサ５３，５４，５５については、上述したとおりである。
【００６８】
図１１は、スタッカ１６に最大積載量の媒体Ｄが積載された状態を示す図である。媒体搬送装置２は、予め設定された最大積載量の媒体Ｄがスタッカ１６に積載されたことをセンサ等によって検知すると、例えば操作部１９のディスプレイ１９ａ（図１）に、スタッカ１６上の媒体Ｄを取り除くようにアラームを表示する。
【００６９】
スタッカ１６上に最大積載量の媒体Ｄが積載された状態で、押さえ部材３は支軸部３５を中心として、最も高い位置まで揺動している。この状態で、スタッカ１６に積載された一番上の媒体Ｄから媒体トレイ１０の下面までの距離を、距離Ｈ３とする。
【００７０】
当接部３１ａ，３１ｂから頂部３３までの高さは、後述するように、スタッカ１６に最大積載量の媒体Ｄが積載された状態（図１１）で、押さえ部材３の頂部３３が媒体トレイ１０に当接しないように設定される。
【００７１】
＜作用＞
図１２（Ａ）および（Ｂ）は、スタッカ１６に排出された折り目のある媒体Ｄと、押さえ部材３とを示す斜視図および正面図である。画像読取装置１の使用時には、ユーザが、折り畳まれた媒体Ｄ（読取原稿）を伸ばして媒体トレイ１０にセットする場合がある。
【００７２】
媒体Ｄの折り畳み方は、２つ折りと４つ折りが一般的であるが、いずれの場合も、媒体Ｄの幅方向中央部または搬送方向中央部に山型の折り目（折りぐせ）Ｄ１が生じる可能性がある。媒体Ｄの搬送方向中央部の折り目Ｄ１であれば積載時の問題は生じないが、媒体Ｄの幅方向中央部の折り目Ｄ１は、押さえ部材３に引っ掛かり、媒体Ｄの積載状態に乱れが生じる可能性がある。
【００７３】
そこで、この第１の実施の形態では、押さえ部材３の先端に、媒体Ｄの折り目Ｄ１に当接しない形状（逃げ形状）を設けている。言い換えると、押さえ部材３の当接部３１ａ，３１ｂが媒体Ｄの表面に当接し、頂部３３が媒体Ｄの表面から＋Ｚ方向に離間するように構成している。
【００７４】
そのため、図１２（Ａ）および（Ｂ）に示すように、媒体Ｄが排出ローラ２６から排出された際に、媒体Ｄの折り目Ｄ１が、当接部３１ａ，３１ｂおよび頂部３３で囲まれた領域を通過する。これにより、折り目Ｄ１が押さえ部材３に引っ掛かることなく、押さえ部材３によって媒体Ｄを積載面１６ａに押し当てることができる。
【００７５】
より具体的には、押さえ部材３の当接部３１ａ，３１ｂが積載面１６ａに当接しているときの積載面１６ａから頂部３３の下面までの距離Ｈ１は、図６に示した媒体トレイ１０の載置面１０ａと給送ローラ２１との距離Ｈ２よりも大きく設定される。
【００７６】
折り目Ｄ１の高さが距離Ｈ２を超える媒体Ｄは、媒体トレイ１０の載置面１０ａと給送ローラ２１との間に挿入できない。従って、スタッカ１６に排出されてくる媒体Ｄの折り目Ｄ１の高さｈ（図１２（Ｂ））は、距離Ｈ２以下と考えることができる。そのため、距離Ｈ１を距離Ｈ２よりも大きく設定すれば、媒体Ｄの折り目Ｄ１の高さが最大であっても、折り目Ｄ１が押さえ部材３に引っ掛かることがない。
【００７７】
また、押さえ部材３の当接部３１ａ，３１ｂが積載面１６ａに当接しているときの積載面１６ａから頂部３３の上面までの距離を、スタッカ１６に最大積載量の媒体Ｄが積載されたときの媒体Ｄから媒体トレイ１０の下面１０ｂまでの距離Ｈ３（図１１）よりも小さく設定することにより、頂部３３と媒体トレイ１０との当接を防止することができる。
【００７８】
なお、押さえ部材３の当接部３１ａ，３１ｂが積載面１６ａに当接しているときの積載面１６ａから頂部３３の上面までの距離は、上記の距離Ｈ１に、押さえ部材３を構成するワイヤの径ｄを加えた距離Ｈ１＋ｄであり、最大距離とも称する。
【００７９】
なお、上述した距離Ｈ１，Ｈ３は、スタッカ１６の積載面１６ａに直交する方向の距離であり、距離Ｈ２は、媒体トレイ１０の載置面１０ａに直交する方向の距離である。
【００８０】
図１３（Ａ）および（Ｂ）は、比較例の押さえ部材６の動作を説明するための斜視図および正面図である。比較例の押さえ部材６は、媒体トレイ１０の揺動支持部１０１からスタッカ１６に向けて延在する一対の延在部６０ａ，６０ｂと、その延在部６０ａ，６０ｂの先端同士をつなぐ直線状の先端部６１とを有する。延在部６０ａ，６０ｂはＸ方向に互いに対向している。また、先端部６１はＸ方向に延在し、その全体が媒体Ｄに当接する。
【００８１】
この比較例の押さえ部材６は、先端部６１が全体で媒体Ｄに当接するため、媒体Ｄが幅方向中央に折り目Ｄ１を有する場合、折り目Ｄ１が押さえ部材６の先端部６１に引っ掛かり、媒体Ｄの積載状態が乱れる可能性がある。
【００８２】
これに対し、この第１の実施の形態の押さえ部材３は、押さえ部材３の当接部３１ａ，３１ｂが媒体Ｄの表面に当接し、頂部３３が媒体Ｄの表面から＋Ｚ方向に離間するように構成されているため、媒体Ｄの折り目Ｄ１が押さえ部材３に引っ掛かることがなく、媒体Ｄの積載性を向上することができる。
【００８３】
＜実施の形態の効果＞
以上説明したように、本発明の実施の形態１では、押さえ部材３が、媒体Ｄと当接する当接部３１ａ，３１ｂ（第１の当接部および第２の当接部）を有し、Ｘ方向において当接部３１ａ，３１ｂの間に、当接部３１ａ，３１ｂが積載面１６ａと当接しているときに積載面１６ａから＋Ｚ方向に離間する頂部３３を有するため、媒体Ｄの折り目Ｄ１が押さえ部材３に引っ掛かることを抑制し、媒体Ｄの積載性を向上することができる。
【００８４】
また、押さえ部材３の当接部３１ａ，３１ｂが積載面１６ａに当接している状態で、頂部３３の所定部分（Ｘ方向中央部）が積載面１６ａから離間する距離Ｈ１が、媒体トレイ１０の載置面１０ａに媒体Ｄをセットする際の給送ローラ２１と載置面１０ａとの距離Ｈ２よりも大きいため、媒体Ｄが、媒体トレイ１０にセット可能な最大の折り目Ｄ１を有する場合にも、折り目Ｄ１が押さえ部材３に引っ掛かることを抑制し、媒体Ｄの積載性を向上することができる。
【００８５】
また、頂部３３において当接部３１ａ，３１のＸ方向における中間に位置する部分が、媒体トレイ１０の載置面１０ａから最も離間するため、より確実に、媒体Ｄの折り目Ｄ１（幅方向中央部が最も高くなりやすい）が押さえ部材３に引っ掛かることを抑制することができる。
【００８６】
また、押さえ部材３は、当接部３１ａ，３１ｂから頂部３３に向かって延在する傾斜部３２ａ，３２ｂ（第１の傾斜部および第２の傾斜部）を有するため、媒体Ｄの折り目Ｄ１が、当接部３１ａ，３１ｂ、傾斜部３２ａ，３２ｂおよび頂部３３で形成される領域を通過するように構成することができる。
【００８７】
また、傾斜部３２ａ，３２ｂは、Ｘ方向において当接部３１ａ，３１ｂから離れるに従って積載面１６ａから離れるように傾斜しているため、当接部３１ａ，３１ｂと傾斜部３２ａ，３２ｂと頂部３３とで、媒体Ｄの折り目Ｄ１を通過させる略三角径の領域を規定することができる。
【００８８】
また、傾斜部３２ａ，３２ｂは、Ｙ方向において当接部３１ａ，３１ｂの下流に進むに従って積載面１６ａから離間するように傾斜しているため、延在部３０ａ，３０ｂと傾斜部３２ａ，３２ｂとのなす角が鋭角にならず、押さえ部材３をワイヤの折り曲げによって構成しやすい。
【００８９】
また、頂部３３が、傾斜部３２ａから延在する湾曲部（第１の湾曲部）３４ａと、傾斜部３２ｂから延在する湾曲部（第２の湾曲部）３４ｂとを有するため、媒体Ｄの折り目Ｄ１を通過させる略三角径の領域を確保しながら、頂部３３を滑らかに湾曲した形状に形成することができる。
【００９０】
また、押さえ部材３が、ワイヤによって形成されているため、押さえ部材３の構成が簡単になり、製造コストを低減することができる。
【００９１】
また、押さえ部材３が、揺動支持部１０１で揺動可能に支持され、スタッカ１６の積載面１６ａに向かって延在する延在部３０ａ，３０ｂ（第１の延在部および第２の延在部）を有するため、媒体Ｄの積載量に応じた位置で媒体Ｄを押し当てることができる。
【００９２】
また、スタッカ１６上に媒体Ｄが最大積載量まで積載された状態で、一番上の媒体Ｄから媒体トレイ１０の下面１０ｂ（対向面）までの距離Ｈ３よりも、当接部３１ａ，３１ｂが積載面１６ａに当接しているときに頂部３３が積載面１６ａから離間する最大距離（Ｈ１＋ｄ）が小さいため、頂部３３と媒体トレイ１０との当接を抑制することができる。
【００９３】
また、押さえ部材３が、媒体Ｄの幅方向（Ｘ方向）の中央部に配置されているため、媒体Ｄを効率よく積載面１６ａに押し当てることができ、媒体Ｄの積載性が向上する。
【００９４】
なお、ここでは、押さえ部材３をワイヤで構成したが、ワイヤ以外で構成してもよい。また、媒体搬送装置２における媒体Ｄの搬送路および各ローラは、用途に応じて適宜変更することができる。
【００９５】
変形例．
図１４は、第１の実施の形態の変形例の押さえ部材３Ａを示す斜視図である。変形例の押さえ部材３Ａは、第１の実施の形態の押さえ部材３と同様の延在部３０ａ，３０ｂ、当接部３１ａ，３１ｂおよび支軸部３５ａ，３５ｂを有する。但し、変形例の押さえ部材３Ａは、第１の実施の形態の押さえ部材３の傾斜部３２ａ，３２ｂおよび頂部３３の代わりに、起立部３６ａ，３６ｂおよび頂部３７を有する。
【００９６】
起立部３６ａ，３６ｂは、＋Ｙ方向に進むほど積載面１６ａから離間するように傾斜している点は、第１の実施の形態の傾斜部３２ａ，３２ｂと同様である。但し、第１の実施の形態の傾斜部３２ａ，３２ｂがＸ方向中央部に向けて傾斜していたのに対し、起立部３６ａ，３６ｂはＹＺ面内に対して平行である。頂部３７は、起立部３６ａ，３６ｂの上端を結ぶように、Ｘ方向に直線状に延在している。
【００９７】
すなわち、変形例の押さえ部材３Ａの先端部は、起立部３６ａ，３６ｂと頂部３７とにより、媒体Ｄの折り目Ｄ１が通過する矩形状の領域を形成している。当接部３１ａ，３１ｂが積載面１６ａに当接している状態で、積載面１６ａから頂部３７の下面までの距離は、第１の実施の形態で説明した距離Ｈ１と同じに設定されている。
【００９８】
この変形例の押さえ部材３Ａも、当接部３１ａ，３１ｂが積載面１６ａと当接している状態で頂部３７が積載面１６ａから距離Ｈ１だけ離間しているため、押さえ部材３Ａに媒体Ｄの折り目Ｄ１が引っ掛かることがなく、媒体Ｄの積載性を向上することができる。
【００９９】
＜ＭＦＰの構成＞
次に、上述した媒体搬送装置２を備えた画像読取装置１が適用可能な複合装置について説明する。図１５は、媒体搬送装置２を備えた画像読取装置１が適用可能な複合装置としてのＭＦＰ１００の基本構成を示す模式図である。
【０１００】
複合装置としてのＭＦＰ１００は、画像読取装置１（スキャナユニット）と、画像形成装置８（プリンタユニット）とを備えている。画像読取装置１は、画像形成装置８の上側に配置されており、画像形成装置８のハウジング８ａに対してヒンジ等により開閉可能に連結されている。
【０１０１】
画像形成装置８は、例えば電子写真法を用いて印刷用紙（印刷媒体）Ｐに画像を形成するものであり、ここでは、Ｙ（イエロー）、Ｍ（マゼンタ）、Ｃ（シアン）およびＫ（ブラック）のプロセスユニット８０ａ，８０ｂ，８０ｃ，８０ｄを備えている。プロセスユニット８０ａ，８０ｂ，８０ｃ，８０ｄは、使用するトナー（現像剤）を除いて共通の構成を有するため、プロセスユニット８０と総称する。
【０１０２】
プロセスユニット８０は、像担持体として感光体ドラム８１と、帯電部材としての帯電ローラ８２、現像剤担持体としての現像ローラ８３と、供給部材としての供給ローラ８４と、現像剤収容部としての現像剤カートリッジ８５とを有する。また、感光体ドラム８１の上側に対向するように、露光装置８６が取り付けられている。
【０１０３】
帯電ローラ８２は、感光体ドラム８１の表面を一様に帯電する。露光装置８６は、例えばＬＥＤ（発光ダイオード）ヘッドを有し、感光体ドラム８１の表面を露光して静電潜像を形成する。現像ローラ８３は、感光体ドラム８１の表面に形成された静電潜像をトナー（現像剤）により現像する。供給ローラ８４は、現像ローラ８３の表面にトナーを供給する。現像剤カートリッジ８５は、供給ローラ８４にトナーを補給する。
【０１０４】
画像形成装置８は、また、印刷用紙Ｐを収容する用紙トレイ７０と、用紙トレイ７０から印刷用紙Ｐを１枚ずつ分離して送り出す給紙ローラ７１と、用紙トレイ７０から送り出された印刷用紙Ｐをプロセスユニット８０ａ，８０ｂ，８０ｃ，８０ｄに向けて搬送する搬送ローラ７２とを備えている。
【０１０５】
画像形成装置８は、また、プロセスユニット８０ａ，８０ｂ，８０ｃ，８０ｄに対向配置された転写ベルト７３と、この転写ベルト７３が張架された駆動ローラ７４および従動ローラ７５とを備えている。駆動ローラ７４は、図示しない駆動源により回転し、転写ベルト７３をプロセスユニット８０ａ，８０ｂ，８０ｃ，８０ｄに沿って移動させる。さらに、転写ベルト７３を挟んでプロセスユニット８０ａ，８０ｂ，８０ｃ，８０ｄの各感光体ドラム８１（後述）に対向するように、転写ローラ７６が配設されている。
【０１０６】
印刷用紙Ｐの搬送方向におけるプロセスユニット８０ａ，８０ｂ，８０ｃ，８０ｄの下流側には、印刷用紙Ｐにトナー像を定着する定着ユニット７７が配設されている。定着ユニット７７は、加熱ローラ、加圧ローラ等を有し、トナーに熱および圧力によりトナーを印刷用紙Ｐに定着させる。定着ユニット７７のさらに下流側には、印刷用紙Ｐを画像形成装置８から排出する排出ローラ対７８，７９が設けられている。
【０１０７】
画像形成装置８には、画像読取装置１が読み取った媒体（読取原稿）Ｄの画像データが送られる。画像形成装置８は、受信した画像データに基づき、印刷動作を行う。すなわち、給紙ローラ７１を回転させて用紙トレイ７０から印刷用紙Ｐを一枚ずつ送り出し、搬送ローラ７２によって搬送する。さらに、転写ベルト７３によって印刷用紙Ｐを吸着保持し、プロセスユニット８０ａ，８０ｂ，８０ｃ，８０ｄに沿って搬送する。
【０１０８】
各プロセスユニット８０では、帯電ローラ８２が感光体ドラム８１の表面を一様に帯電し、露光装置８６が、画像データに応じて感光体ドラム８１の表面を露光して静電潜像を形成する。現像ローラ８３は、感光体ドラム８１上の静電潜像を現像して、トナー像（現像剤像）を形成する。感光体ドラム８１上のトナー像は、転写ローラ７６によって印刷用紙Ｐに転写される。
【０１０９】
各色のトナー像が転写された印刷用紙Ｐは、定着ユニット７７に搬送される。定着ユニット７７では、印刷用紙Ｐに転写されたトナー像を印刷用紙Ｐに定着する。トナー像が定着された印刷用紙Ｐは、排出ローラ対７８，７９によって画像形成装置８から排出される。
【０１１０】
なお、ここでは、画像読取装置１と画像形成装置８とがＭＦＰ１００を構成する場合について説明したが、画像読取装置１をスキャナとして単独で用いてもよい。また、図１５に示した画像形成装置８はあくまでも一例であり、他の構成の画像形成装置を用いてもよい。
【０１１１】
以上、本発明の望ましい実施の形態について具体的に説明したが、本発明は上記の実施の形態に限定されるものではなく、本発明の要旨を逸脱しない範囲において、各種の改良または変形を行なうことができる。
【符号の説明】
【０１１２】
１  画像読取装置、  ２  媒体搬送装置、  ３  押さえ部材、  ３Ａ  押さえ部材、  ６  押さえ部材、  ８  画像形成装置、  １０  媒体トレイ、  １０ａ  載置面、  １０ｂ  下面（対向面）、  １１  読取部、  １２  透明板、  １３  媒体ガイド部、  １４  フラットベッド、  １５  カバー、  １５ａ  開口部、  １６  スタッカ（積載部）、  １６ａ  積載面、  ２１  給送ローラ（給送部）、  ２２  搬送ローラ、  ２３  第１反転ローラ、  ２４  レジストローラ、  ２５  排出搬送ローラ、  ２６  排出ローラ、  ２７  バックアップローラ、  ２８  第２反転ローラ、  ２９  揺動フレーム、  ３０  延在部、  ３０ａ  延在部（第１の延在部）、  ３０ｂ  延在部（第２の延在部）、  ３１  当接部、  ３１ａ  当接部、  ３１ｂ  当接部（第２の当接部）、  ３２  傾斜部、  ３２ａ  傾斜部（第１の傾斜部）、  ３２ｂ  傾斜部（第２の傾斜部）、  ３３  頂部、  ３４  湾曲部、  ３４ａ  湾曲部（第１の湾曲部）、  ３４ｂ  湾曲部（第２の湾曲部）、  ３５  支軸部、  ３５ａ  支軸部（第１の支軸部）、  ３５ｂ  支軸部（第２の支軸部）、  ３６ａ，３６ｂ  起立部、  ３７  水平部、  ４１  第１セパレータ、  ４２  第２セパレータ、  ５１，５２，５３，５４，５５  媒体センサ、  ７０  用紙トレイ、  ７１  給紙ローラ、  ７２  搬送ローラ、  ７３  転写ベルト、  ７６  転写ローラ、  ７７  定着ユニット、  ７８，７９  排出ローラ対、  ８０，８０ａ，８０ｂ，８０ｃ，８０ｄ  プロセスユニット、  ８１  感光体ドラム（像担持体）、  ８２  帯電ローラ（帯電部材）、  ８３  現像ローラ（現像剤担持体）、  ８４  供給ローラ（供給部材）、  ８５  現像剤カートリッジ（現像剤収容体）、  ８６  露光装置、  １００  ＭＦＰ（複合装置）、  １０１  揺動支持部、  Ｄ  媒体、  Ｄ１  折り目、  Ｈ１，Ｈ２，Ｈ３  距離、  Ｐ１，Ｐ２，Ｐ３  搬送路、  Ｒ  読取位置。
【図１】
2018162131.tif 000003
【図２】
2018162131.tif 000004
【図３】
2018162131.tif 000005
【図４】
2018162131.tif 000006
【図５】
2018162131.tif 000007
【図６】
2018162131.tif 000008
【図７】
2018162131.tif 000009
【図８】
2018162131.tif 000010
【図９】
2018162131.tif 000011
【図１０】
2018162131.tif 000012
【図１１】
2018162131.tif 000013
【図１２】
2018162131.tif 000014
【図１３】
2018162131.tif 000015
【図１４】
2018162131.tif 000016
【図１５】
2018162131.tif 000017